(57)【要約】
【課題】  脚部防雨部が、不要時や収納時に折り畳んだ状態で固定することができて、邪魔にならないレインコートの提供。
【解決手段】  前身頃下部を左右に分離して下方に延伸し、両脚部を覆う左右の脚部防雨部１を形成し、脚部防雨部１に、その下部を折り畳んだ状態で固定する着脱自在な固定具２，３を設ける。
【選択図】          図１
0003100769.tif 000002
【実用新案登録請求の範囲】
【請求項１】
前身頃下部を左右に分離して下方に延伸し、両脚部を覆う左右の脚部防雨部を形成したレインコートであって、前記脚部防雨部に、該脚部防雨部の下部を折り畳んだ状態で固定する着脱自在な固定具を設けたことを特徴とするレインコート。
【請求項２】
前記固定具が、スナップボタン、ベルベットクロスファスナ、幅方向に配置されたスライドファスナのいずれかである請求項１に記載のレインコート。
【請求項３】
前記固定具の雄部と雌部とが、前記脚部防雨部の上部寄り表面及び下部寄り裏面に、上下方向に並ぶようそれぞれ装着された請求項１又は２に記載のレインコート。
【請求項４】
前記固定具の雄部と雌部とが、前記脚部防雨部の上部寄り表面及び下部寄り裏面に、上下方向に並ぶようそれぞれ装着された請求項１又は２に記載のレインコート。
【請求項５】
前記固定具の雄部と雌部とが、前記脚部防雨部の上部寄り表面及び下部寄り表裏面に、上下方向に並ぶようそれぞれ装着された請求項１又は２に記載のレインコート。
【請求項６】
前記固定具の雄部と雌部とが、前記脚部防雨部の上部寄り裏面及び下部寄り裏面に、上下方向に並ぶようそれぞれ装着された請求項１又は２に記載のレインコート。
【請求項７】
前記固定具の雄部と雌部とが、前記脚部防雨部の上部寄り裏面及び下部寄り表面に、上下方向に並ぶようそれぞれ装着された請求項１又は２に記載のレインコート。
【請求項８】
前記固定具の雄部と雌部とが、前記脚部防雨部の上部寄り裏面及び下部寄り表裏面に、上下方向に並ぶようそれぞれ装着された請求項１又は２に記載のレインコート。
【請求項９】
前記固定具の雄部と雌部とが、前記脚部防雨部の上部寄り裏面及び下部寄り裏面に、上下方向に並ぶようそれぞれ装着され、前記脚部防雨部の下端をレインコート裏面に着脱自在に係止する係止具を設けた請求項１又は２に記載のレインコート。
【考案の詳細な説明】
【技術分野】
【０００１】
本考案は、両脚部を覆う脚部防雨部を有するレインコートに関する。
【背景技術】
【０００２】
従来、前身頃下縁部が左右に分かれて下方へ延伸されると共に、その内面に脚部固定具が設置されて、左右のふくらはぎ周囲に巻き付けることができる脚部防雨部が形成され、左右の脚部防雨部の先端に、靴先を覆う靴カバーがそれぞれ設けられたレインコートが公知である（特許文献１参照）。
ところが、このレインコートは、通常のレインコートよりも長く、地面に引きずってしまうほどの長さがあるので、折り畳んで収納する際に不便である。また、小雨時や外出先が近い場合等には、脚部を覆う必要がないので脚部防雨部が邪魔になる。
【０００３】
【特許文献１】台湾実用新案公告第４７２５３０号公報
【考案の開示】
【考案が解決しようとする課題】
【０００４】
本考案が解決しようとする課題は、脚部防雨部が、不要時や収納する際には折り畳んだ状態で固定することができて、邪魔にならないレインコートを提供することにある。
【課題を解決するための手段】
【０００５】
本考案のレインコートは、前身頃下部を左右に分離して下方に延伸し、両脚部を覆う左右の脚部防雨部を形成したものであって、前記脚部防雨部に、該脚部防雨部の下部を折り畳んだ状態で固定する着脱自在な固定具を設ける。
前記固定具は、スナップボタン、ベルベットクロスファスナ、幅方向に配置されたスライドファスナのいずれかとすることができる。
【０００６】
次のいずれかの構成を採用することがある。
前記固定具の雄部と雌部とが、前記脚防雨部の上部寄り表面及び下部寄り裏面に、上下方向に並ぶようそれぞれ装着される。
前記固定具の雄部と雌部を、前記脚部防雨部の上部寄り表面及び下部寄り裏面に、上下方向に並ぶようそれぞれ装着される。
前記固定具の雄部と雌部とが、前記脚部防雨部の上部寄り表面及び下部寄り表裏面に、上下方向に並ぶようそれぞれ装着される。
前記固定具の雄部と雌部とが、前記脚部防雨部の上部寄り裏面及び下部寄り裏面に、上下方向に並ぶようそれぞれ装着される。
【０００７】
前記固定具の雄部と雌部とが、前記脚部防雨部の上部寄り裏面及び下部寄り表面に、上下方向に並ぶようそれぞれ装着される。
前記固定具の雄部と雌部とが、前記脚部防雨部の上部寄り裏面及び下部寄り表裏面に、上下方向に並ぶようそれぞれ装着される。
前記固定具の雄部と雌部とが、前記脚部防雨部の上部寄り裏面及び下部寄り裏面に、上下方向に並ぶようそれぞれ装着され、前記脚部防雨部の下端をレインコート裏面に着脱自在に係止する係止具が設置される。
【考案の効果】
【０００８】
請求項１及び請求項２に係る考案によれば、脚部防雨部を折り畳んだ状態で固定することにより、レインコートの長さを短くできるので、折り畳み収納が容易であるだけでなく、通常のレインコートと同様に脚部を覆わない状態で着用することができる。
請求項３乃至請求項５に係る考案によれば、脚部防雨部の折り畳み部が外観に現れてしまうが、迅速且つ容易に折り畳むことができる。
請求項６乃至請求項９に係る考案によれば、折り畳み作業が若干面倒であるが、脚部防雨部の折り畳み部が完全に裏面に隠れるので、体裁がよい。
【考案を実施するための最良の形態】
【０００９】
以下、本考案の実施例を図面に基づいて詳細に説明する。
【実施例１】
【００１０】
図１及び図２は、本考案の実施例１を示す。
本考案のレインコートは、図１に示すように、上半身被覆部の前身頃の下部を左右に分離して下方に延伸し、両脚部を覆う左右の脚部防雨部１を一体に形成して成る。
また、脚部防雨部１の先端には、靴先に被せて被覆する袋状の靴カバー４がそれぞれ装着されている。
脚部防雨部１の表面において、上部寄りの股部近傍及び下部寄りには、スナップボタンより成る固定具の雄部２と雌部３とが上下方向に並ぶようそれぞれ装着されている。また、３対の固定具が脚部防雨部１の両側部及び中央部に配置されている。
【００１１】
脚部防雨部１で脚部を覆う必要がない場合には、図２に示すように、脚部防雨部１の下部を表面側へ折り上げ、対になる固定具の雄部２と雌部３とを互いに係止して、脚部防雨部１の下端部及び靴カバー４を表面側に垂れ下がるよう折り返す。
この実施例によれば、脚部防止雨部１の雌部３装着部分を引き上げて、雄部２と雌部３とを係止するだけで、脚部防雨部１を非常に迅速・簡単に折り畳むことができるが、脚部防雨部１の折り上げ部分、垂れ下がり部分及び靴カバー４が表面に露出する。
【実施例２】
【００１２】
図３及び図４は、実施例２を示す。
図３に示すように、スナップボタンより成る固定具の雄部２及び雌部３が、脚部防雨部１の上部寄り（股部近傍）表面及び下部寄り裏面に、上下方向に並ぶようそれぞれ装着されている。
脚部防雨部１を折り畳む場合は、図４に示すように、脚部防雨部１の下部を表面側へ折り上げ、さらに、脚部防雨部１の下端部及び靴カバー４をその間に挟むよう裏面側へ折り返し、対になる固定具の雄部２と雌部３とを互いに係止する。
この実施例では、脚部防雨部１の下端部及び靴カバー４が表面に露出しないので、実施例１に比べて体裁がよい。
その他の構成は、実施例１とほぼ同様なので、同一部分に同一符号を付して詳細な説明を省略する。
【実施例３】
【００１３】
図５は実施例３を示す。
スナップボタンより成る固定具の雄部２が、脚部防雨部１の上部寄り（股部近傍）表面に装着されると共に、２個の雌部３が、雄部２と上下方向に並んだ位置において、脚部防雨部１の下部寄り表裏面にそれぞれ装着されている。
従って、脚部防雨部１を折り畳む場合は、脚部防雨部１の下部を表面側へ折り上げ、図５のように表面側に装着された雌部３と雄部２とを係合して、脚部防雨部１の下端部及び靴カバー４を表面側に垂れ下がるよう折り返しても良いし、図示しないが、脚部防雨部１の下端部及び靴カバー４を間に挟むよう裏面側へ折り返し、裏面側に装着された雌部３と雄部２とを係合しても良い。
その他の構成は、実施例１とほぼ同様である。
【実施例４】
【００１４】
図６及び図７は、実施例４を示す。
図６に示すように、スナップボタンより成る固定具の雄部２と雌部３とが、脚部防雨部１の裏面において、上部寄りの股部近傍及び下部寄りに、上下方向に並ぶようそれぞれ装着されている。
脚部防雨部１で脚部を覆う必要がない場合には、図７に示すように、脚部防雨部１の下部を裏面側へ折り上げ、固定具の雄部２と雌部３とを互いに係止して、脚部防雨部１の下端部及び靴カバー４を裏面側に垂れ下がるよう折り返す。
この実施例によれば、脚部防雨部１の折り畳み部が完全に裏面に隠れて見えないので体裁がよいが、折り畳み作業は若干面倒である。
その他の構成は、実施例１とほぼ同様である。
【実施例５】
【００１５】
図８及び図９は、実施例５を示す。
図８に示すように、スナップボタンより成る固定具の雄部２及び雌部３が、脚部防雨部１の上部寄り（股部近傍）裏面及び下部寄り表面に、上下方向に並ぶようそれぞれ装着されている。
脚部防雨部１を折り畳む場合は、図９に示すように、脚部防雨部１の下部を裏面側へ折り上げ、さらに、脚部防雨部１の下端部及び靴カバー４をその間に挟むよう表面側へ折り返し、固定具の雄部２と雌部３とを互いに係止する。
この実施例によれば、靴カバー４が裏面側に露出しないので、レインコートの下に着用した衣服を汚すことがない。
その他の構成は実施例１とほぼ同様である。
【実施例６】
【００１６】
図１０は、実施例６を示す。
スナップボタンより成る固定具の雄部２が、脚部防雨部１の上部寄り（股部近傍）裏面に装着されると共に、２個の雌部３が、雄部２と上下方向に並んだ位置において、脚部防雨部１の下部寄り表裏面にそれぞれ装着される。
脚部防雨部１を折り畳む場合は、脚部防雨部１の下部を裏面側へ折り上げ、図１０に示すように、裏面側に装着された雌部３と雄部２とを係合して、脚部防雨部１の下端部及び靴カバー４を裏面側に垂れ下がるよう折り返しても良いし、或いは、脚部防雨部１の下端部及び靴カバー４を間に挟むよう表面側へ折り返し、表面側に装着された雌部３と雄部２とを係合しても良い。
その他の構成は、実施例１とほぼ同様である。
【実施例７】
【００１７】
図１１及び図１２は実施例７を示す。
図１１に示すように、スナップボタンより成る固定具の雄部２と雌部３とが、脚部防雨部１の裏面において、上部寄りの股部近傍及び下部寄りに、上下方向に並ぶようそれぞれ装着される。固定具の雄部２及び雌部３は、脚部防雨部１の両側部に合計２対取り付けられる。
また、固定具の雄部２よりも上方の幅方向中央部において、レインコートの裏面に、スナップボタンより成る係止具の雄部５が装着されると共に、係止具の雌部６が靴カバー４の先端に装着されている。
【００１８】
脚部防雨部１を折り畳む場合は、図１２に示すように、その下部を裏面側に折り返し、上下に対応する固定具の雄部２と雌部３とを係合し、係止具の雄部５と雌部６とを係合する。
この実施例によれば、脚部防雨部１の下部が２重に折り返されるだけなので、薄くて着用感が良く、しかも、靴カバー４の汚れた底部が脚部防雨部１の裏面に露出しないので、レインコート下の衣服を汚す虞がない。
その他の構成は実施例１とほぼ同様である。
【００１９】
なお、脚部防雨部１の上部寄りに固定具の雌部３を装着し、下部寄りに雄部２を装着しても良いし、係止具の雄部５を靴カバー４の先端に装着し、雌部６をレインコートの裏面に装着しても良い。
また、固定具及び係止具は、簡単に着脱できるものであれば、必ずしもスナップボタンに限定されず、ベルベットクロスファスナや幅方向に配置したスライドファスナを用いることもできる。
さらに、脚部防雨部が上半身被覆部と一体ではなく、その前身頃の左右下部に着脱自在に取り付けることも可能であり、靴カバーは袋状とせず、脚部防雨部を延長させて、靴先に係止する紐等を取り付けただけのものであっても良い。
【図面の簡単な説明】
【００２０】
【図１】実施例１を示すレインコートの正面図。
【図２】実施例１を示すレインコートの要部側面図。
【図３】実施例２を示すレインコートの正面図。
【図４】実施例２を示すレインコートの要部側面図。
【図５】実施例３を示すレインコートの要部側面図。
【図６】実施例４を示すレインコートの正面図。
【図７】実施例４を示すレインコートの要部側面図。
【図８】実施例５を示すレインコートの正面図。
【図９】実施例５を示すレインコートの要部側面図。
【図１０】実施例６を示すレインコートの要部側面図。
【図１１】実施例７を示すレインコートの正面図。
【図１２】実施例７を示すレインコートの要部側面図。
【符号の説明】
【００２１】
１  脚部防雨部
２  固定具の雄部
３  固定具の雌部
４  靴カバー
５  係止具の雄部
６  係止具の雌部
【図１】
0003100769.tif 000003
【図２】
0003100769.tif 000004
【図３】
0003100769.tif 000005
【図４】
0003100769.tif 000006
【図５】
0003100769.tif 000007
【図６】
0003100769.tif 000008
【図７】
0003100769.tif 000009
【図８】
0003100769.tif 000010
【図９】
0003100769.tif 000011
【図１０】
0003100769.tif 000012
【図１１】
0003100769.tif 000013
【図１２】
0003100769.tif 000014